(57)【特許請求の範囲】
【請求項１】
樹脂モールド品のケース部とカバー部の組合せからなる二つ割り構造の本体ケースに接点開閉機構，操作ハンドル，および過電流引外し装置を組み込んで構成した回路しゃ断器であり、前記操作ハンドルのホルダを本体ケースに設けた支軸に軸支したものにおいて、
前記支軸を、ケース部の内壁面から突出する大径部と該大径部の先端に小径部を有するピン状の段付き軸部と、カバー部の内壁面から突出して前記ピン状軸部の小径部に差し込み結合する中空軸部とから構成し、かつ前記ピン状軸部，中空軸部をそれぞれケース部，カバー部と一体にモールド成形するとともに、前記中空軸部の外径を操作ハンドルのホルダ軸穴径及びピン状軸部の大径部よりも大径に設定し、前記操作ハンドルのホルダを前記ピン状軸部の大径部に嵌挿し、かつ前記中空軸部の先端と前記ピン状軸部の大径部の段部とを当接させて、前記操作ハンドルのホルダを中空軸部の先端とケース部の内壁面との間に位置決めしてピン状軸部の大径部に軸支したことを特徴とする回路しゃ断器。
【発明の詳細な説明】
【０００１】
【発明の属する技術分野】
本発明は、サーキットプロテクタなどを対象とする回路しゃ断器、詳しくは回路遮断器に組み込んだ操作ハンドルの軸支構造に関する。
【０００２】
【従来の技術】
まず、頭記したサーキットプロテクタの全体構成を図４に示す。図において、１は樹脂モールド品として作られた回路しゃ断器の本体ケースであり、本体ケース１の内部には固定接触子２，可動接触子３，可動接触子ホルダ４，該ホルダ４に連結した操作ハンドル５，開閉ばね６，係止レバー７，ラッチ爪機構８，電磁ソレノイド式の過電流引外し装置９などの各部品が図示のように組み込まれており、前記の可動接触子ホルダ４，操作ハンドル５，開閉ばね６，係止レバー７でトグルリンク式の接点開閉機構を構成しており、操作ハンドル（ハンドル自身は樹脂モールド品）５に結合した板金製のハンドルホルダ５ａが本体ケース１に設けた支軸１０に軸支されている。ここで、本体ケース１は詳細構造を示してないが、ケース部の端面にカバー部を重ね合わせて組立てた二つ割り構造のケースとしてなる。なお、１１は外部接続端子である。
【０００３】
かかる構成になる回路しゃ断器の動作は周知であり、ハンドル操作，過電流引外し動作により接点がＯＮ，ＯＦＦ，ないしトリップ動作する。
【０００４】
【発明が解決しようとする課題】
ところで、前記の回路しゃ断器における操作ハンドル５の軸支構造に関して、従来では特開平７−５７６０７号公報などに開示されているように、独立部品としてなるピン状の支軸を本体ケース１に組み込んだ左右のフレーム側板間にカシメなどの手段で固定し、この支軸上に操作ハンドル５のホルダ５ａを揺動可能に軸支し、さらにフレームを本体ケース１に圧入するなどして組立てるようにしている。
【０００５】
しかしながら、上記した従来の操作ハンドル軸支構造では、本体ケース１と別に左右一対のフレーム側板，軸支ピンなどの独立した部品が必要であり、このために部品点数，組立工数が増えてコスト高になる。
本発明は上記の点にかんがみなされたものであり、その目的は前記課題を解決し、操作ハンドルの軸支構造に関して、部品点数，組立工数の低減化が図れるよう改良した回路しゃ断器を提供することにある。
【０００６】
【課題を解決するための手段】
上記目的を達成するために、本発明によれば、操作ハンドルの支軸を、ケース部の内壁面から突出する大径部と該大径部の先端に小径部を有するピン状の段付き軸部と、カバー部の内壁面から突出して前記ピン状軸部の小径部に差し込み結合する中空軸部とから構成し、かつ前記ピン状軸部，中空軸部をそれぞれケース部，カバー部と一体にモールド成形するとともに、前記中空軸部の外径を操作ハンドルのホルダ軸穴径及びピン状軸部の大径部よりも大径に設定し、前記操作ハンドルのホルダを前記ピン状軸部の大径部に嵌挿し、かつ前記中空軸部の先端と前記ピン状軸部の大径部の段部とを当接させて、前記操作ハンドルのホルダを中空軸部の先端とケース部の内壁面との間に位置決めしてピン状軸部の大径部に軸支するものとする。
上記の構成により、回路しゃ断器の組立工程で、操作ハンドルをケース部に一体成形したピン状軸部に嵌挿した上で、ケース部の端面にカバー部を重ね合わせると、カバー部に一体成形した中空軸部がピン状軸部の先端に嵌合して結合する。これにより、操作ハンドルは曲げ強度の高い両持ち梁構造の支軸で軸支されることになる。
【０００８】
また、中空軸部の外径をピン状軸部よりも大径にしておくことで、別な位置決め部品を必要とせずに、中空軸部の先端とケース部の内壁面との間に操作ハンドルを位置決めして軸支保持することができる。
【０００９】
【発明の実施の形態】
以下、本発明の実施例を図面に基づいて説明する。なお、実施例の図中で図３に対応する同一部材には同じ符号が付してある。
〔実施例１〕
図１（ａ),（ｂ）において、本体ケース１は樹脂モールド品として作られたケース部１ａとカバー部１ｂとの組合せ体としてなり、その上面にはケース部，カバー部にまたがって操作ハンドル５が突き出る窓穴が開口している。そして、操作ハンドル５の軸支構造として、ケース部１ａにはその内壁面から突出するピン状の段付き軸部１ｃが、またカバー部１ｂにはその内壁面から突き出して前記ピン状軸部の先端に差し込み結合する中空軸部１ｄがそれぞれケース部１ａ，カバー部１ｂと一体にモールド成形されている。
【００１０】
ここで、ピン状軸部１ｃは外径φ1 の軸部（大径部）１ｃ-1と、その先端側に延長した外径φ2(φ2 ＜φ1)の先端軸部（小径部）１ｃ-2からなり、軸部１ｃ-1の長さは操作ハンドルのホルダ５ａの幅寸法Ａよりも若干長めに設定されている。一方、中空軸部１ｄには前記先端軸部１ｃ-2の外径φ2 に対応した軸嵌合穴が形成されている。
そして、本体ケース１に操作ハンドル５を組み込む際には、他の接点開閉機構部品などとともに、ケース部１ａに形成したピン状軸部１ｃに操作ハンドル５のホルダ５ａを嵌挿した上で、ケース部１ａの端面にカバー部１ｂを重ね合わせる。これにより、図１（ｂ）で示すようにカバー部１ｂに形成した中空軸部１ｄがピン状軸部１ｃの先端軸部１ｃ-2に嵌め合い結合し、ホルダ５ａは両持ち梁構造の支軸上に揺動可能に軸支される。この点に関して支軸の曲げ強度を試算したところによれば、支軸を図示のように両持ち梁構造とすることにより、ピン状軸部１ｃだけの片持ち梁構造と比べて曲げ強度が４倍に増強される。
【００１１】
〔実施例２〕
図２は先記実施例１を改良した本発明の他の実施例を示すものである。この実施例では、カバー部１ｂに一体成形した中空軸部１ｄの外径φ3 をケース部１ａに設けたピン状軸部１ｃの外径φ1 ，およびこのピン状軸部に嵌挿したホルダ５ａの軸穴径よりも径大に設定しておく。
【００１２】
かかる構成により、本体ケース１に操作ハンドル５を組み込んだ状態では、ピン状軸部１ｃの軸上に嵌挿したハンドルのホルダ５ａが、中空軸部１ｄの先端とケース部１ａの内壁面との間の定位置に安定よく位置決め保持される。
〔実施例３〕
図３は先記実施例２の応用実施例を示すものであり、ケース部１ａに成形したピン軸部１ｃの先端軸部１ｃ-2を先細りのテーパ軸とし、これに対応してカバー部１ｂに形成した中空軸部１ｄには円錐状の軸嵌合穴が開口している。
【００１３】
かかる構成により、本体ケース１のケース部１ａにカバー部１ｂを重ね合わせる際に、前記したテーパ軸をガイドとしてピン状軸部１ｃと中空軸部１ｄとの嵌合がスムーズに行える。
【００１４】
【発明の効果】
以上述べたように、本発明の構成によれば次記の効果を奏する。
１）従来の操作ハンドル軸支構造と比べて、部品点数，組立工数を削減してコトスダウンが図れる。
２）本体ケースのケース部から突き出したピン状軸部の先端部とカバー部から突き出した中空軸部を嵌め合い結合することで、操作ハンドルの支軸を曲げ強度の高い両持ち梁構造とすることができる。
【００１５】
３）カバー部から突き出した中空軸部の外径をケース部から突き出したピン状軸部の外径よりも大きく設定することで、ピン状軸部に軸支した操作ハンドルを定位置に安定よく位置決め保持できる。
【図面の簡単な説明】
【図１】本発明の実施例１に対応する実施例の構成図であり、（ａ）は要部部品の分解斜視図、（ｂ）は本体ケースの組立状態における操作ハンドル軸支構造の断面図
【図２】本発明の実施例２に対応する操作ハンドル軸支構造の断面図
【図３】本発明の実施例３に対応する操作ハンドル軸支構造の断面図
【図４】本発明の全体構成を示す図
【符号の説明】
１    本体ケース
１ａ  ケース部
１ｂ  カバー部
１ｃ  ピン状軸部
１ｄ  中空軸部
５    操作ハンドル
５ａ  ホルダ
【図１】
0003785679.tif 000002
【図２】
0003785679.tif 000003
【図３】
0003785679.tif 000004
【図４】
0003785679.tif 000005